(57)【要約】      （修正有）【課題】体の左右いずれの側に保持した場合でも、容易にファスナーを開閉でき、使用勝手が良く、汎用性を向上することができるバッグを提供する。【解決手段】表面側側面部及び裏面側側面部を有し、使用者が身体の両側に保持して使用しうるバッグであって、表面側側面部及び裏面側側面部には、夫々、開操作方向が同一のスライド式ファスナを有する収納開口部が設けられている。【選択図】図１
0003212529.tif 000002
【実用新案登録請求の範囲】
【請求項１】
表面側側面部及び裏面側側面部を有し、使用者が身体の両側に保持して使用しうるバッグであって、
前記表面側側面部及び前記裏面側側面部には、夫々、開操作方向が同一のスライド式ファスナを有する収納開口部が設けられたことを特徴とするバッグ。
【請求項２】
スライド式ファスナの開操作方向を、使用者を基準として、バッグの前面一致かつ表裏逆となるように使用者右側及び使用者左側の何れの位置にあるときでも前方から後方としたことを特徴とする請求項１に記載のバッグ。
【請求項３】
前記バッグの表面側側面部及び裏面側側面部には、上面部に向かうほど接近するように上方に反り返る曲面部を有し、前記スライド式ファスナを肩掛けした状態で使用者の身体と接触しない曲面部に、前記表面側側面部及び前記裏面側側面部の上縁に沿って配置したことを特徴とする請求項１又は請求項２に記載のバッグ。
【請求項４】
前記スライド式ファスナを前記バッグの前後長さ方向の全長に亘って同じ長さに配置したことを特徴とする請求項１〜請求項３の何れか１項に記載のバッグ。
【考案の詳細な説明】
【技術分野】
【０００１】
本考案は、バッグ、特に、肩掛け式のバッグに関する。
【背景技術】
【０００２】
従来、ショルダーバッグやトートバックのように、肩掛け式のバッグが周知である。このような肩掛け式のバッグは、立体形状の上面部に主たる収納開口部を設けており、必要に応じて開閉可能としている。
【０００３】
なお、開閉可能とは、ボタンやマグネット、ベルト、ファスナ等によって内部が見えない程度に閉じた状態、並びに、内部に物品等を出し入れすることができる程度に開いた状態、であることを意味する。
【０００４】
一方、このようなバッグには、大小様々な物品を持ちあることができるとともに、例えば、小物や使用頻度の高い物品の使い勝手をよくするために、バッグ本体の外側に収納ポケット等を設けたものが多く見受けられる。
【０００５】
この際、このような収納ポケットにおいても、必要に応じてファスナにより開閉可能としたものも多い（例えば、特許文献１〜３参照）。
【先行技術文献】
【特許文献】
【０００６】
【特許文献２】実用新案登録第３１８４２６６号公報
【特許文献３】特開２００７−０８２８８４号公報
【特許文献４】特開平０８−１６８４０８号公報
【考案の概要】
【考案が解決しようとする課題】
【０００７】
しかしながら、特許文献１〜３に開示のバッグの場合、バッグ本体の表面側側面部及び裏面側側面部の両面に収納ポケットを設けるとともに、ファスナにより開閉可能としている。
【０００８】
具体的には、表裏で収納ポケットの大きさが異なる（特許文献１参照）、使用形態がバッグ以外のものに変化する（特許文献２参照）、表裏で収納ポケットの位置が異なる（特許文献３参照）、といったように、その用途に応じた形態を呈している。
【０００９】
しかも、これら全てのバッグの表裏に設けたファスナは、表側側面部と裏側側面部において閉止時のスライダのが前後逆側にあるため、使用者の右側にバッグを位置させた際と両者の左側にバッグを位置させた際とでは、使用者の外側（使用形態でバッグの表面側側面部）に位置するスライダの開操作方向が同じとはならず、しかも、その開操作方向は使用者の後方から前方に向けて行うこととなる。
【００１０】
したがって、使用者にとって開閉操作が混乱し易く煩わしい操作を強いられると共に、使用者がファスナの開操作を行うために後方から前方へファスナ操作を行う場合には、腕を身体の後方から前方へ動かす必要があることとから開操作しにくい、という不具合があった。
【００１１】
従って、このような観点から、本考案は、使用者の体側の左右いずれの側に保持した場合であっても、容易にファスナーを開操作しうるバッグを提供することを課題とする。
【課題を解決するための手段】
【００１２】
上記目的を達成するため、請求項１記載の考案にあっては、表面側側面部及び裏面側側面部を有し、使用者が身体の両側に保持して使用しうるバッグであって、表面側側面部及び裏面側側面部には、夫々、開操作方向が同一のスライド式ファスナを有する収納開口部が設けられた、ものである。
【００１３】
請求項２記載の考案にあっては、スライド式ファスナの開操作方向を、使用者を基準として、バッグの前面一致かつ表裏逆となるように使用者右側及び使用者左側の何れの位置にあるときでも前方から後方とした、ものである。
【００１４】
請求項３記載の考案にあっては、バッグの表面側側面部及び裏面側側面部には、上面部に向かうほど接近するように上方に反り返る曲面部を有し、スライド式ファスナを肩掛けした状態で使用者の身体と接触しない曲面部に、表面側側面部及び裏面側側面部の上縁に沿って配置した、ものである。
【００１５】
請求項４記載の考案にあっては、スライド式ファスナをバッグの前後長さ方向の全長に亘って同じ長さに配置した、ものである。
【考案の効果】
【００１６】
請求項１記載の考案にあっては、表面側側面部及び裏面側側面部を有し、使用者が身体の両側に保持して使用しうるバッグであって、表面側側面部及び裏面側側面部には、夫々、開操作方向が同一のスライド式ファスナを有する収納開口部が設けられたことにより、開操作方向が同一に形成されていることから、使用者は身体のいずれの側で保持して使用した場合であっても、手を同一の方向に動かすことにより収納開口部を開くことができるため、使用者が惑うことなく収納開口部を開閉でき、使用勝手が良く、汎用性を向上させることができる。
【００１７】
請求項２記載の考案にあっては、スライド式ファスナの開操作方向を、使用者を基準として、バッグの前面一致かつ表裏逆となるように使用者右側及び使用者左側の何れの位置にあるときでも前方から後方としたことにより、使用者はバッグを身体のいずれの側に保持している場合であっても、常に、手で前方から後方へファスナを引く動作により収納開口部を開放することができるため、身体に自然な動作でファスナの開操作を行うことができ、使用者が使いやすいバッグを提供することができる。
【００１８】
請求項３記載の考案にあっては、バッグの表面側側面部及び裏面側側面部には、上面部に向かうほど接近するように上方に反り返る曲面部を有し、スライド式ファスナを肩掛けした状態で使用者の身体と接触しない曲面部に、表面側側面部及び裏面側側面部の上縁に沿って配置したことにより、スライド式ファスナによって衣服がすれたり引っ掛かってしまうことを抑制することができる。
【００１９】
請求項４記載の考案にあっては、スライド式ファスナをバッグの前後長さ方向の全長に亘って同じ長さに配置したことにより、バッグの見掛け上の表裏を同じとすることができる。
【図面の簡単な説明】
【００２０】
【図１】本考案の一実施の形態に係るバッグを示し、（Ａ）は使用者の身体の右側に位置している状態の表面側側面部（外面）を基準としたバッグの斜視図、（Ｂ）は使用者の身体の左側に位置している状態の表面側側面部（外面）を基準としたバッグの斜視図である。
【図２】本考案の一実施の形態に係るバッグの平面図である。
【図３】本考案の一実施の形態に係るバッグを示し、表裏の各ファスナが使用者の身体から離れている状態を示す説明図である。
【図４】本考案の一実施の形態に係るバッグを示し、使用者が右肩に肩掛けしている使用状態の説明図である。
【図５】本考案の一実施の形態に係るバッグを示し、使用者が左肩に肩掛けしている使用状態の説明図である。
【考案を実施するための形態】
【００２１】
次に、本考案に係る一実施の形態について図面を参照して説明する。なお、各図において、説明の便宜上、一部の肉厚は省略して図示している。
【００２２】
図１に示すように、バッグ１０は、布や皮（合皮を含む）等によって立体形状としたバッグ本体１１と、バッグ本体１１の前面側マチ部１７及び背面側マチ部１８に両端を接続した肩紐１２と、を備える。
ここで、図２に示すように、バッグ１０は、表面側側面部１５及び裏面側側面部１６を有し、使用者が身体の両側に保持して使用しうるバッグ１０であって、表面側側面部１５及び裏面側側面部１６には、夫々、開操作方向が同一のスライド式ファスナ２５，２６を有する収納開口部１５ａ，１６ａが設けられたものである。
【００２３】
バッグ本体１１は、上面部１３、底面部１４、表面側側面部１５、裏面側側面部１６、前面側マチ部１７、背面側マチ部１８からなる。なお、これら表裏前後の各方向は、図１（Ａ）を基準としたものであり、使用者の使用状況における表裏前後を限定するものではない。
【００２４】
肩紐１２は、例えば、帯状であって、長さの調節が可能な周知のものを用いている。また、肩紐１２は、着脱可能なものでもよい。
【００２５】
上面部１３は、バッグ本体１１の内部に設けた主収納部（図示せず）と外部とを連通する主収納開口部１３ａが主スライド式ファスナ１９によって開閉可能となっている。
【００２６】
図２に示すように、主スライド式ファスナ１９は、公知のものを用いており、バッグ本体１１の前後方向に沿って延びるエレメント（務歯）２０と、エレメント２０の互いに対向する務歯頭部（詳細図省略）を係合状態と非係合状態とに切り替えるスライダ２１と、を備える。したがって、主収納開口部１３ａは、エレメント２０の務歯頭部が、係合状態にあるときに閉じ（閉成）状態となり、非係合状態にあるときに開き（開放）状態となる。なお、以下の説明では、務歯頭部の係合・非係合状態を単に「噛み合わせ」とも称する。
【００２７】
スライダ２１は、エレメント２０の務歯頭部の噛み合わせを切り替える胴部２２と、胴部２２と一体の屈曲した柱部２３と、柱部２３に保持された引手２４と、を備える。なお、引手２４はデザイン上の観点から各種の形状又は形態のものを用いることができる。
【００２８】
また、スライダ２１は、互いに操作方向が逆向きとなるように２つ配置してもよい。これにより、バッグ１０の前後を使用者が任意に選択することができる。ここで、図２に示すように、一方のスライダ２１に引手２４をフック２４’とすることにより、他方の引手２４と係合させれば簡易ロックとして利用することができる。
【００２９】
底面部１４は、特に詳細な図示しないが、例えば、四隅付近に点鋲等を設けるなど、バッグ１０のデザインや用途等に応じたものとすることができる。
【００３０】
バッグ本体１１の表面側側面部１５及び裏面側側面部１６のそれぞれには、主収納部とは隔絶した副収納部（図示せず）と外部とを連通する収納開口部１５ａ，１６ａがスライド式ファスナ２５，２６によって開閉可能となっている。
【００３１】
図３に示すように、ここで、バッグ本体１１の表面側側面部１５及び裏面側側面部１６には、上面部１３に向かうほど接近するように上方に曲面を以て反り返る曲面部１５ｂ，１６ｂを有している。
【００３２】
上述したスライド式ファスナ２５，２６は、バッグ１０を肩掛けした状態で使用者の身体と接触しない曲面部１５ｂ，１６ｂに位置しており、表面側側面部１５及び裏面側側面部１６の上縁に沿って延びている。
【００３３】
スライド式ファスナ２５，２６は、公知のものを用いており、バッグ本体１１の前後方向に沿って延びるエレメント（務歯）２７と、エレメント２７の互いに対向する務歯頭部（詳細図省略）を係合状態と非係合状態とに切り替えるスライダ２８と、を備える。したがって、収納開口部１５ａ，１６ａは、エレメント２７の務歯頭部が、係合状態にあるときに閉じ（閉成）状態となり、非係合状態にあるときに開き（開放）状態となる。なお、以下の説明では、務歯頭部の係合・非係合状態を単に「噛み合わせ」とも称する。
【００３４】
スライド式ファスナ２５，２６は、バッグ本体１１の前後長さ方向の略全長に亘って同じ長さに配置しており、外見上、表面側側面部及び裏面側側面部は同一の形状として構成されている。
【００３５】
スライダ２８は、エレメント２７の務歯頭部の噛み合わせを切り替える胴部２９と、胴部２９と一体の屈曲した柱部３０と、柱部３０に保持された引手３１と、を備える。なお、引手３１はデザイン上の観点から各種の形状又は形態のものを用いることができる。
【００３６】
前面側マチ部１７には、例えば、スマートフォンＳなどのように使用頻度の高い小物を収納することができるポケット３２を設けている。これにより、バッグ１０の前後を規定することができるようになっている。なお、背面側マチ部１８においても、例えば、ペットボトル等の小物を収納することができるポケット（図示せず）を設けてもよい。
【００３７】
次に、本考案のバッグ１０の使用例を説明する。図４に示すように、使用者Ｐは、右肩に肩紐１２を掛けた状態でバッグ１０を自身の身体の右側に位置させる。
【００３８】
これにより、バッグ１０の表面側側面部１５が自身の身体の外側に位置しており、スライド式ファスナ２５のスライダ２８が前面側マチ部１７側に位置している。
【００３９】
バッグ１０は使用者Ｐの右側において保持されており、表面側側面部１５にスライド式ファスナ２５を有する収納開口部１５ａが設けられた状態となる。したがって、使用者Ｐは、スライド式ファスナ２５を開操作する場合には、スライダ２８を前方から後方に向けて操作する。
【００４０】
一方、図５は、使用者Ｐが、左肩に肩紐１２を掛けた状態でバッグ１０を自身の身体の左側に位置させて保持した状態を示している。
【００４１】
これにより、バッグ１０の裏面側側面部１６が自身の身体の外側に位置しており、スライド式ファスナ２５のスライダ２８が前面側マチ部１７側に位置している。
【００４２】
バッグ１０は使用者Ｐの左側に位置しており、裏面側側面部１６にスライド式ファスナ２６を有する収納開口部１６ａが設けられた状態となる。したがって、使用者Ｐは、スライド式ファスナ２６を開操作する場合には、スライダ２８を前方から後方に向けて操作する。
【００４３】
このように、バッグ１０は、前面側マチ部１７を使用者Ｐの前方に位置させた状態で、右肩及び左肩のどちらに肩掛けしても、その際の使用者Ｐの外面に位置する表面側側面部１５又は裏面側側面部１６は、何れもスライダ２８を使用者Ｐの前方から後方に向かう開操作とすることができる。すなわち、使用者Ｐはバッグ１０を身体のいずれの側に保持している場合であっても、常に、手で前方から後方へスライド式ファスナ２５，２６（スライダ２８）を引く動作により収納開口部１５ａ，１６ａを開放することができるため、身体に自然な動作でファスナの開操作を行うことができ、使用者Ｐが使いやすいバッグ１０を提供することができる。
【００４４】
ところで、本考案のバッグ１０は、上述した箱に限定されるものではない。例えば、肩掛けの方式は、上述した肩紐１２によるものの他、表面側側面部１５及び裏面側側面部１６の各々にループ状の紐を設けて手提げ及び肩掛けの両方を可能としたトートバックにも適用可能である。
【００４５】
以上説明したように、本考案に係るバッグは、使用勝手が良く、汎用性を向上することができるという効果を有し、バッグ、特に、肩掛け式のバッグ全般に有用である。
【符号の説明】
【００４６】
１０  バッグ
１１  バッグ本体
１２  肩紐
１３  上面部
１３ａ  主収納開口部
１４  底面部
１５  表面側側面部
１５ａ  収納開口部
１５ｂ  曲面部
１６  裏面側側面部
１６ａ  収納開口部
１６ｂ  曲面部
１７  前面側マチ部
１８  背面側マチ部
１９  スライド式ファスナ
２０  エレメント
２１  スライダ
２２  胴部
２３  柱部
２４  引手
２５  スライド式ファスナ
２６  スライダ
２７  エレメント
２８  スライダ
２９  胴部
３０  柱部
３１  引手
３２  ポケット
Ｐ  使用者
Ｓ  スマートフォン
【図１】
0003212529.tif 000003
【図２】
0003212529.tif 000004
【図３】
0003212529.tif 000005
【図４】
0003212529.tif 000006
【図５】
0003212529.tif 000007